(57)【要約】【課題】数値情報を、視認性の良い表示形態で表示することのできる操作性の良い内視鏡装置１等を提供する。【解決手段】内視鏡装置１は、内視鏡装置１の制御を行う制御部２１Ａと、内視鏡装置１の制御状態を数値情報により表示する制御状態表示部３Ｂ、５０Ｂの表示モードを、予め定めた条件に従い、図形で表示する図形表示モード、数字で表示する数字表示モード、または表示しない無表示モードのいずれかに切り替え処理を行う表示モード制御部２１Ｂとを有するプロセッサを有する。【選択図】図５
2009226171.tif 000002
【特許請求の範囲】
【請求項１】
内視鏡装置に用いられるプロセッサであって、
前記内視鏡装置の制御を行う制御部と、
前記内視鏡装置の制御状態を数値情報により表示する制御状態表示部の表示モードを、予め定めた条件に従い、図形で表示する図形表示モード、数字で表示する数字表示モード、または表示しない無表示モードのいずれかに切り替え処理を行う表示モード制御部とを有することを特徴とするプロセッサ。
【請求項２】
前記内視鏡装置が、
体内に挿入される細長の挿入部を有する内視鏡と、
内視鏡画像を表示する内視鏡画像表示部と、
前記体内を照明するための光源装置と、
前記体内に流体を給排する給排ポンプとを有し、
前記制御状態が、
前記内視鏡画像表示部の明るさ、強調レベル、色調、コントラストもしくは拡大縮小レベル、または、前記光源装置のランプ使用時間、または前記給排ポンプの給排量の少なくともひとつの制御状態であることを特徴とする請求項１に記載のプロセッサを有する内視鏡装置。
【請求項３】
前記表示モード制御部が、前記数値情報に基づいて、前記切り替え処理を行うことを特徴とする請求項１または請求項２に記載の内視鏡装置。
【請求項４】
前記表示モード制御部が、前記数値情報が、予め定めた所定値以上の場合に、前記図形表示モードに切り替えることを特徴とする請求項１から請求項３のいずれか１項に記載の内視鏡装置。
【請求項５】
前記表示モード制御部が、前記数値情報が予め定めた所定値以上の場合に、前記数字表示モードに切り替えすることを特徴とする請求項１から請求項３のいずれか１項に記載の内視鏡装置。
【請求項６】
前記数値情報を入力する入力操作を行うための入力部を有し、
前記制御部は、前記入力部から入力された前記数値情報に基づき制御を行うことを特徴とする請求項１から請求項５のいずれか１項に記載の内視鏡装置。
【請求項７】
前記表示モード制御部が、予め定めた前記入力操作に応じて、前記切り替え処理を行うことを特徴とする請求項６に記載の内視鏡装置。
【請求項８】
前記入力操作が前記入力部の押圧操作であり、前記表示モード制御部が、前記押圧操作の時間が所定時間以上の場合に、前記切り替え処理を行うことを特徴とする請求項７に記載の内視鏡装置。
【請求項９】
前記内視鏡が、前記内視鏡を操作する操作部を有し、
前記入力部が、前記操作部に配設されていることを特徴とする請求項６から請求項８のいずれか１項に記載の内視鏡装置。
【請求項１０】
前記表示モード制御部が、前記入力操作が予め定めた所定の時間の間行われていない場合、前記無表示モードに切り替え処理することを特徴とする請求項６から請求項９のいずれか１項に記載の内視鏡装置。
【請求項１１】
前記表示モード制御部が、表示モード切り替え処理を停止し、前記表示モードを前記図形表示モードまたは前記数字表示モードのいずれかに固定することを特徴とする請求項２から請求項１０のいずれか１項に記載の内視鏡装置。
【請求項１２】
前記図形表示モードの前記図形が、スライドバーであることを特徴とする請求項２から請求項１１のいずれか１項に記載の内視鏡装置。
【請求項１３】
前記内視鏡画像表示部と前記制御状態表示部とが、ひとつの共通表示部であることを特徴とする請求項２から請求項１２のいずれか１項に記載の内視鏡装置。
【請求項１４】
前記内視鏡画像表示部と前記制御状態表示部と前記入力部とが、ひとつの共通表示入力部であることを特徴とする請求項２から請求項１２のいずれか１項に記載の内視鏡装置。
【発明の詳細な説明】
【技術分野】
【０００１】
本発明は、種々の機能の制御状態を表示する制御状態表示部を有するプロセッサおよび前記プロセッサを有する内視鏡装置に関し、特に、予め定めた条件に従い制御状態表示部の表示モードの切り替え行う表示モード制御部を有するプロセッサおよび前記プロセッサを有する内視鏡装置に関する。
【背景技術】
【０００２】
医療用分野において、内視鏡を用いて診断あるいは治療処置を行う場合、使用に必要となる内視鏡および光源装置等をラック等にまとめて内視鏡装置を構成し、さらにこれらの装置を搭載したラックを組み合わせるなどして、診断等を行うことが一般的である。すなわち、複数の装置を１つの筐体内に収納し、これら複数の装置を集中制御する集中制御部と、複数の装置を集中的に操作する集中操作部とを備えた内視鏡装置が提案されている。
【０００３】
このような内視鏡装置は、内視鏡を介して被検体へ照明光を供給するための光源装置、内視鏡からの画像信号を処理する映像信号処理装置、体腔内に送気あるいは送水を行う送気送水装置、内視鏡からの光学像を撮影する自動撮影装置、被検部位を焼灼して治療を行う焼灼装置または被検部位を切除する電気メス装置等、多様な装置があり、これらの周辺装置を目的に合わせて組み合わせて構成されている
このような内視鏡装置においては、各装置、例えば映像信号処理装置のホワイトバランスまたはコントラスト等の制御情報は、映像信号処理装置のフロントパネル等に表示されると共に、該フロントパネルにて制御情報の変更が可能に構成されている。
【０００４】
ここで、特開２００１−２５４５５号公報には、各種制御情報等を表示する設定状態表示部が、バーグラフにより図形表示する図形表示部と、具体的な数値情報をデジタル値で表示する数字表示部とを有し、図形表示および数字表示を併用する内視鏡装置が開示されている。
【特許文献１】特開２００１−２５４５５号公報
【発明の開示】
【発明が解決しようとする課題】
【０００５】
しかしながら、従来の内視鏡装置における各種機能の制御情報等は、上述したように、フロントパネル等の表示部に表示されるが、表示形態が図形表示、数字表示または図形表示と数字表示の併用表示のいずれかに固定されているため、術者にとって、設定情報が視認しにくいことがあった。
【０００６】
すなわち、従来の内視鏡装置は、図形表示および数字表示を同時に、表示している場合には表示が複雑となり、かえって術者の視認性が劣化してしまうことがあった。一方、図形表示または数字表示のいずれかを切り替えて表示する場合には、術者による切替操作が必要であり、かかる内視鏡装置は操作性が良くない場合があった。
【０００７】
本発明は、上記事情に鑑みてなされたものであり、数値情報を、視認性の良い表示形態で表示することのできる操作性の良い内視鏡装置を提供することを目的としている。
【課題を解決するための手段】
【０００８】
上記目的を達成すべく、本発明のプロセッサは、内視鏡装置に用いられるプロセッサであって、前記内視鏡装置の制御を行う制御部と、前記内視鏡装置の制御状態を数値情報により表示する制御状態表示部の表示モードを、予め定めた条件に従い、図形で表示する図形表示モード、数字で表示する数字表示モード、または表示しない無表示モードのいずれかに切り替え処理を行う表示モード制御部とを有する。
【０００９】
また、本発明の内視鏡装置は、前記プロセッサと、体内に挿入される細長の挿入部を有する内視鏡と、内視鏡画像を表示する内視鏡画像表示部と、前記体内を照明するための光源装置と、前記体内に流体を給排する給排ポンプとを有し、前記制御状態が、前記内視鏡画像表示部の明るさ、強調レベル、色調、コントラスト、もしくは拡大縮小レベル、または、前記光源装置のランプ使用時間、または前記給排ポンプの給排量の少なくともひとつの制御状態である。
【発明の効果】
【００１０】
本発明は、数値情報を、視認性の良い表示形態で表示することのできる操作性の良い内視鏡装置を提供するものである。
【発明を実施するための最良の形態】
【００１１】
＜第１の実施の形態＞  
最初に、図面を用いて、本発明の第１の実施の形態の内視鏡装置１について説明する。図１は内視鏡装置１の外観を示す外観図であり、図２は内視鏡装置１の信号処理装置の構成等を説明するためのブロック図である。
【００１２】
図１に示すように、本実施の形態の内視鏡装置１は、体内に挿入され体腔内観察部位を撮像する細長い挿入部２Ａを有する内視鏡２と、この内視鏡２に照明光を供給する光源装置１０と、内視鏡２からの撮像信号の信号処理等をする信号処理装置４と、内視鏡画像を表示する内視鏡画像表示部３Ａを有するモニタ３と、体内への流体の給排を行う給排ポンプ５と、キーボード７とを備え、これらの装置をラック６に搭載して構成される。
【００１３】
術者はキーボード７を用いて、ラック６に搭載されている各装置の制御情報、患者情報、術者情報あるいは手技情報等を入力することができる。内視鏡２には、操作部８が配設されており、術者は操作部８を操作することで内視鏡２の湾曲操作等を行うことができる。
【００１４】
次に、図２に示すように、信号処理装置４には、内視鏡２がコネクタ１１ａ、１１ｂを介して接続される。内視鏡２の先端には、体腔内観察部位を撮像するための、固体撮像素子であるＣＣＤ１２が設けられている。また信号処理装置４には、光源装置１０および給排ポンプ５とが接続されている。
【００１５】
信号処理装置４は、アナログ映像処理部１３にて、ＣＣＤ１２からの撮像信号に対して、増幅処理および相関２重サンプリング処理等のアナログ映像信号処理を実行する。
【００１６】
また、信号処理装置４は、アナログ映像処理部１３にて信号処理された映像信号を、Ａ／Ｄコンバータ１４にてデジタル信号に変換し、デジタル映像処理部１７に出力する。デジタル映像処理部１７は、入力されたデジタル映像信号に対して、ホワイトバランス処理、強調レベル調整処理、色調調整処理、コントラスト調整処理および拡大／縮小処理等のデジタル映像信号処理を実行する。デジタル映像処理部１７にてデジタル処理された信号は、合成部１５において、ＤＳＰ（デジタル信号プロセッサ）２２で処理された制御情報信号等と合成され、Ｄ／Ａコンバータ１６に出力され、アナログ信号としてモニタ３に出力される。
【００１７】
そして、信号処理装置４は、前述した内視鏡画像表示のための各種信号処理の制御を行うプロセッサ２１を有している。プロセッサ２１は、前記信号処理の制御だけでなく内視鏡装置１の種々の機能の制御を行う制御部２１Ａと、表示モード制御部２１Ｂとを構成している。表示モード制御部２１Ｂは、制御部２１Ａの制御状態を数値情報により表示する制御状態表示部の表示モード切替処理を制御する。
【００１８】
ここで、制御部２１Ａの制御状態とは、制御部２１Ａが行う内視鏡装置１の種々の機能の制御状態のことである。本実施の形態の内視鏡装置１において、種々の機能の制御状態とは、例えば、内視鏡画像表示部３Ａの明るさ、強調レベル、色調、コントラストもしくは拡大縮小レベル、または、光源装置１０のランプ使用時間、または給排ポンプ５の給排量、の少なくともひとつである。これらの制御状態は、いずれも数値情報として制御状態表示部に表示することができる。なお、例えば、内視鏡画像表示部３Ａの明るさは、光源装置１０からの出射光量を制御すること、または、信号処理装置４における信号処理を制御することで制御することにより、制御される。前記信号処理装置4における制御としては、例えば、ＣＣＤ１２の露光時間を電子的に制御したり、前記増幅処理における前記撮像信号の増幅量を制御すること等がある。
【００１９】
なお、内視鏡装置１において、制御状態表示部としては、例えば、モニタ３の制御状態表示部３Ｂおよびフロントパネル５０の制御状態表示部５０Ｂの２つである。
【００２０】
また、種々の内視鏡装置１の機能の制御状態は、術者が設定入力部の入力部を用いて数値情報として入力し、設定することもできる。内視鏡装置１において、入力部としては、例えば、キーボード７の入力部７ｓと、フロントパネル５０の設定入力部５０Ｄの入力部５０Ｄｓと、操作部８の入力部８ｓの３つである。
【００２１】
もちろん、内視鏡装置１は前記制御状態表示部および前記入力部の全てが、表示モード制御部２１Ｂと連係した動作を行う必要はなく、一部の制御状態表示部または入力部のみが、表示モード制御部２１Ｂと連係した動作を行ってもよい。
【００２２】
次に、図３を用いて、フロントパネル５０の制御状態表示部５０Ｂを例に、制御状態表示部の表示モード等について説明する。図３はフロントパネル５０の構成および表示状態を説明するための正面図である。
【００２３】
図３に示すように、フロントパネル５０は、電源スイッチ４１と、他の外部機器が接続可能なコネクタ部３２と、内視鏡装置１の各装置の制御状態を表示する制御状態表示部５０Ｂと、内視鏡装置１の各装置の制御状態を数値情報で設定入力することのできる設定入力部５０Ｄを有している。
【００２４】
図３においては、４つの機能（機能Ａ、機能Ｂ、機能Ｃ、機能Ｄ）の設定情報を表示する４つの機能別表示エリアからなる制御状態表示部５０Ｂを備えたフロントパネル５０の例を示している。なお、制御状態表示部５０Ｂは説明のため、全ての表示が表示されている状態を示している。
【００２５】
内視鏡装置１は、制御状態表示部５０Ｂに、数値情報を、図形で表示する図形表示モードと、数字で表示する数字表示モードと、表示しない無表示モードとの切り替えである表示モード切り替え処理を行う表示モード制御部２１Ｂを有している。図形表示モードは、いわゆるアナログ表示モードであり、数字表示モードは、いわゆるデジタル表示モードである。
【００２６】
そして、制御状態表示部５０Ｂにおいては、図３に示すように、図形表示モードの図形は、スライドバー、すなわち、バーグラフ形式の表示となっている。なお、図形表示モードの図形としては、円グラフ等の種々の図形が使用でき、また、機能別に異なる図形を用いてもよいが、視認性の高いスライドバー表示が好ましい。以下、図形表示モードとして、図形としてバーを用いる、バー表示モードを例に説明する。
【００２７】
そして、フロントパネル５０には、術者が、制御部２１Ａの制御状態を数値情報により設定入力するための、入力操作を行う設定入力部５０Ｄを有する。図３に示した設定入力部５０Ｄは、それぞれの機能を設定するために、それぞれ２つの入力部５０Ｄｓを有している。例えば、機能Ａは、入力部５０Ｄｓ１と５０Ｄｓ２を有し、入力部５０Ｄｓ１を押圧操作すると設定値が減少し、入力部５０Ｄｓ２を押圧操作すると設定値が増加するようになっている。なお、表示モード入力操作部５０Ｃについては後述する。
【００２８】
次に、このように構成された本実施の形態の内視鏡装置１の動作について、図４および図５を用いて説明する。図４は、内視鏡装置１における制御部２１Ａの制御状態を術者が設定入力する場合の表示モード制御部２１Ｂの処理の流れを説明するためのフローチャートであり、図５はフロントパネル５０の正面図である。  
以下、図４のフローチャートに従い説明する。
【００２９】
＜ステップＳ１１＞  
ここでは、機能Ａである内視鏡画像表示部３Ａの明るさの制御状態を、術者が設定入力する場合を例に示す。そして、通常時には、図５（Ａ）に示すように、表示モード制御部２１Ｂは、制御状態表示部５０Ｂを図形表示モードであるバーグラフ表示としているものとする。
【００３０】
入力部５０Ｄが術者により、操作されるまでは、表示モード制御部２１Ｂは、図形表示モードを継続し（Ｎｏ）、操作入力があると（Ｙｅｓ）ステップＳ１２の処理を行う。なお、ここで、操作入力とは入力設定部５０Ｄの入力部５０Ｄｓ１または５０Ｄｓ２を押圧操作することである。
【００３１】
＜ステップＳ１２＞  
操作入力があると、表示モード制御部２１Ｂは、図５（Ｂ）に示すように、操作入力のあった機能Ａの制御状態表示部５０Ｂ１を数字表示モードに切り替える切り替え処理を自動的に行う。
【００３２】
＜ステップＳ１３＞  
図５（Ｃ）に示すように、術者は、数字表示モードの制御状態表示部５０Ｂ１を確認しながら、所望の制御状態に入力部５０Ｄｓ１または５０Ｄｓ２を用い、数値情報により設定入力する。制御状態表示部５０Ｂ１に具体的な数字が表示されることで、術者は正確な設定入力が可能である。
【００３３】
術者による入力部５０Ｄｓの操作が行われている間、すなわちスイッチ５０Ｄs１または５０Ｄｓ２が押下操作されている間は、表示モード制御部２１Ｂは、数字表示モードを継続する。
【００３４】
＜ステップＳ１４＞  
術者による入力部５０Ｄｓの操作が終了する、すなわちスイッチ５０Ｄs１または５０Ｄｓ２が押下操作されなくなると、表示モード制御部２１Ｂは、タイマーカウントを開始する。
【００３５】
＜ステップＳ１５、Ｓ１６＞  
表示モード制御部２１Ｂは、所定のカウント時間が経過するまで待機し、所定のカウント時間になると、タイマーを停止する。
【００３６】
術者は、入力部５０Ｄｓの操作を行った直後には、その設定値が正しいか確認したり、あるいは、設定直後は設定した値が安定しないことがあるからである。
【００３７】
そして、所定のカウント時間が経過すると、表示モード制御部２１Ｂは、術者による入力部５０Ｄｓの操作が完全に終了したものと判断できる。
【００３８】
＜ステップＳ１７＞  
表示モード制御部２１Ｂは、図５（Ｄ）に示すように、制御状態表示部５０Ｂ１を図形表示モードに切り替える切り替え処理を自動的に行う。図形表示モードは、おおよその値を確認するためには、視認性がよい。
【００３９】
なお、所定のカウント時間は、例えば１〜６０秒であり、また、上記の例で４つの機能毎に異なる時間を設定してもよい。
【００４０】
内視鏡装置１は、制御状態表示部５０Ｂに図形で表示する図形表示と、数字で表示する数字表示との切り替えである表示モードを予め定めた条件に従い自動的に行う表示モード制御部２１Ｂを有する。
【００４１】
すなわち、内視鏡装置１は、術者が入力操作を行う際に制御状態表示部５０Ｂが自動的に入力操作がしやすい視認性の良い表示モードに自動的に切り替わるため、術者は表示モード切替操作を行う必要がなく、操作性が良い。
【００４２】
なお、上記説明においては、表示モード制御部２１Ｂが、所定のカウント時間が経過するまで待機し、所定のカウント時間になると、表示モード切り替え処理を行う例を示したが、図６のフローチャートに示すように、押下操作の終了時に直ちに表示モード切り替え処理を行っても良い。押下操作の終了時に直ちに表示モード切り替え処理を行う表示モード制御部２１Ｂは、処理が単純となる。
【００４３】
また、内視鏡装置１は、術者の設定により、表示モードを、図形表示モード、または、数字表示モードのいずれかの表示モードに固定することも可能である。すなわち、図３に示したように内視鏡装置１のフロントパネル５０には、表示モード入力操作部５０Ｃが配設されている。そして、例えば、スイッチ５０Ｃｓが押圧操作される度に、表示モード制御部２１Ｂの表示制御方式が、表示モード自動切り替え（オート）、図形表示（バー）、数字表示の順に変化し、それに応じて表示モード入力操作部５０Ｃに配設されている所定の表示位置の発光ダイオードが発光し、術者に表示モードの制御方式を知らせる。
【００４４】
内視鏡装置１の表示モード制御部２１Ｂは、表示モード切り替え処理を停止し、表示モードを固定することも可能であるため、常に表示モードが自動的に切り替わる場合に比べて操作性が良いことがある。
【００４５】
＜第２の実施の形態＞  
次に、本発明の第２の実施の形態の内視鏡装置１Ｂについて図７および図８を用いて説明する。図７は、内視鏡装置１Ｂにおける制御部２１Ａの制御状態を術者が変更する場合の表示モード制御部２１Ｂの処理の流れを説明するためのフローチャートであり、図８は内視鏡装置１Ｂのフロントパネル５０の表示状態を説明するための正面図である。なお、内視鏡装置１Ｂの構成および動作等は第１の実施の形態の内視鏡装置の構成等と類似しているため、同じ構成要素には同じ符号を付し、説明は省略する。
【００４６】
内視鏡装置１Ｂの表示モード制御部２１Ｂは、図形で表示する図形表示モードと、数値情報を前記制御状態表示部に数字で表示する数字表示モードと、数値情報を制御状態表示部に表示しない無表示モードとの切り替えである表示モード切り替え処理を予め定めた条件に従い自動的に行う。すなわち、第１の実施の形態の内視鏡装置１Ｂの表示モード制御部２１Ｂと異なり、内視鏡装置１Ｂの表示モード制御部２１Ｂは無表示モードへの切り替え処理も行う。
【００４７】
内視鏡装置１Ｂにおいては、術者が設定入力部５０Ｄの操作を行っていない場合には、表示モード制御部２１Ｂは、制御状態表示部５０Ｂを、無表示モードに切り替え処理を行う。  
以下、図７のフローチャートに従い説明する。
【００４８】
＜ステップＳ３１＞  
ここでは、機能Ａは、内視鏡画像表示部３Ａの明るさの制御状態を術者が設定入力する場合を例に示す。そして、通常時には、図８（Ａ）に示すように、表示モード制御部２１Ｂは、制御状態表示部５０Ｂを無表示モードとしている。すなわち、術者が設定入力部５０Ｄの操作を行っていない場合には、制御状態表示部５０Ｂには何も表示されていない。
【００４９】
＜ステップＳ３２、Ｓ３３＞  
操作入力があると、表示モード制御部２１Ｂは、図８（Ｂ）に示すように、操作入力のあった機能Ａの制御状態表示部５０Ｂ１を数字表示モードに切り替える切り替え処理を自動的に行う。このため、図８（Ｃ）に示すように具体的な数字が表示されることで、術者は正確な設定入力が可能となる。
【００５０】
＜ステップＳ３４〜Ｓ３７＞  
術者による設定入力部５０Ｄの操作が終了すると、表示モード制御部２１Ｂは、タイマーカウントを開始し、所定のカウント時間が経過すると、表示モード制御部２１Ｂは、図８（Ｄ）に示すように、機能Ａの制御状態表示部５０Ｂ１を図形表示モードに切り替える切り替え処理を自動的に行う。図形表示モードは、おおよその値を確認するためには、視認性がよい。
【００５１】
＜ステップＳ３８〜Ｓ４１＞  
さらに、表示モード制御部２１Ｂは、別に定めた所定の時間が経過すると、今度は、再び、図８（Ａ）に示すように、機能Ａの制御状態表示部５０Ｂ１を無表示モードに切り替える切り替え処理を自動的に行う。
【００５２】
なお、数字表示モードから図形表示モードに切り替える切り替え処理を行うまでの所定の時間および、図形表示モードで表示を行う別に定めた所定の時間は、機能に応じて術者が設定可能であるが、例えば、それぞれ、１〜６０秒である。
【００５３】
内視鏡装置１Ｂは、内視鏡装置１が有する効果に加えて、制御状態が表示されたエリアの近くに他の機能の制御状態が表示されないため、操作を行う機能の数値情報の視認性が非常に良い。さらに、内視鏡装置１Ｂは、機能の設定値の入力操作時以外には、制御状態表示部５０Ｂが消灯しているため、無駄な電力を消費せず、消費電力を低減するという効果を有する。
【００５４】
＜第３の実施の形態＞  
次に、図９を用いて、本発明の第３の実施の形態の内視鏡装置１Ｃについて説明する。なお、内視鏡装置１Ｃの構成等は第１の実施の形態の内視鏡装置の構成等と類似しているため、同じ構成要素には同じ符号を付し、説明は省略する。
【００５５】
内視鏡装置１Ｃの表示モード制御部２１Ｂは、入力部５０Ｄｓにより入力される数値情報に応じて、表示モードを自動的に切り替えする。例えば、数値情報が、予め定めた所定値以上の場合に、表示モード制御部２１Ｂは、図形表示モードに切り替える。
【００５６】
図９は、内視鏡装置１Ｃにおける制御部２１Ａの制御状態を術者が設定入力する場合の表示モード制御部２１Ｂの処理の流れを説明するためのフローチャートである。  
以下、図９のフローチャートに従い説明する。
【００５７】
＜ステップＳ５１＞  
ここでは、機能Ａは、例えば内視鏡画像表示部３Ａの強調レベルの制御状態を術者が設定入力する場合を示す。そして、通常時には、表示モード制御部２１Ｂは、制御状態表示部５０Ｂを数字表示モードとしているものとする。
【００５８】
入力部５０Ｄｓが術者により、操作されるまでは、表示モード制御部２１Ｂは、図形表示モードを継続している。
【００５９】
＜ステップＳ５２＞  
入力部５０Ｄｓが術者により、操作され、設定値が設定入力される。
【００６０】
＜ステップＳ５３、Ｓ５４＞  
表示モード制御部２１Ｂは、入力された設定値が予め定めた閾値である所定値未満（Ｙｅｓ）の場合は、ステップＳ５４で、数字表示モードを継続する。
【００６１】
＜ステップＳ５３、Ｓ５５＞  
表示モード制御部２１Ｂは、設定値が予め定めた閾値である所定値以上（Ｎｏ）の場合は、ステップＳ５５で、図形（バー）表示モードに切り替える。
【００６２】
＜ステップＳ５６＞  
操作が終了していない場合（Ｎｏ）には、表示モード制御部２１Ｂは、再び、ステップ５１からの処理を行う。このため、一度、図形（バー）表示モードに切り替えが行われても、再設定により、設定値が予め定めた閾値である所定値未満となった場合には、表示モード制御部２１Ｂは、再び制御状態表示部５０Ｂを、数字表示モードに切り替える。
【００６３】
内視鏡装置１Ｃにおいては、内視鏡画像表示部３Ａの強調レベルが過度の調整、すなわち、予め定めた所定値（閾値）以上への制御が行われた場合には、表示モード制御部２１Ｂが、制御状態表示部５０Ｂを図形（バー）表示モードに自動的に切り替える。このため、術者は数値情報の入力操作により過度の調整が行われたことを認識することができるため、直ちに適正な調整状態に戻すことができる。このため、内視鏡装置１Ｃは、操作性がよい。
【００６４】
また、逆に、数値情報が、予め定めた所定値以上の場合に、表示モード制御部は、数字表示モードに自動的に切り替える処理を行っても良い。例えば、制御状態表示部が光源装置１０のランプ使用時間を表示している場合には、通常は図形表示モードで表示し、ランプの予想寿命時間に近くなった場合には数字表示モードで表示することで、正確な残り時間を表示することができる。
【００６５】
＜第４の実施の形態＞  
次に、本発明の第４の実施の形態の内視鏡装置１Ｄについて説明する。なお、内視鏡装置１Ｄの構成および動作等は第１の実施の形態の内視鏡装置の構成等と類似しているため、同じ構成要素には同じ符号を付し、説明は省略する。内視鏡装置１Ｄの表示モード制御部２１Ｂは、予め定めた入力操作の条件に応じて、自動的に表示モードの切り替え処理を行う
例えば、内視鏡装置１Ｄの表示モード制御部２１Ｂは、入力操作が入力部５０Ｄｓの押圧操作であり、押圧操作時間が所定時間以上の場合に、数字表示モード、図形表示モード、無表示モードへと切り替え処理を行う。なお、短押操作では通常の入力操作となる。
【００６６】
内視鏡装置１Ｄは、術者は、スイッチ５０Ｄｓの押圧操作時間を長く、例えば１〜５秒以上、保持する、すなわち長押し操作することで、別の操作を行うことなく、表示モード制御部２１Ｂが自動的に、その入力操作に適した視認性の良い表示モードへと切り替え処理を行う。
【００６７】
このため、内視鏡装置１Ｄは、数値情報を、視認性の良い表示形態で表示することのでき、かつ、操作性がよい。
【００６８】
＜第４の実施の形態の変形例＞  
次に、本発明の第４の実施の形態の変形例の内視鏡装置１Ｅについて説明する。内視鏡装置１Ｅの内視鏡２は、内視鏡２を操作する操作部８Ｂに入力部８Ｂｓが配設されている。すなわち、内視鏡装置１Ｅの操作部８Ｂは内視鏡２の挿入部２Ａの湾曲操作等の操作だけでなく、内視鏡画像表示部３Ａ等の制御状態を数値情報に基づき制御を行うための数値情報を入力する入力操作を行う等のための入力部８Ｂｓも有している。
【００６９】
術者は片手で内視鏡２の挿入部２Ａの湾曲操作を行いながら、同時に同じ片手で内視鏡画像表示部３Ａの明るさ等の制御状態の入力操作を行うことができる。そして、内視鏡装置１Ｅにおいては、表示モード制御部２１Ｅが自動的に制御状態表示部の表示モード切り替え処理を予め定めた条件に従い自動的に行う。
【００７０】
このため、内視鏡装置１Ｅは、術者は片手で入力操作を行いながら、表示モード制御部２１Ｂが自動的に制御状態表示部を入力操作に応じた表示モードに切り替え処理を行う。このため、内視鏡装置１Ｅは、第１の実施の形態の内視鏡装置１等が有する効果に加えて、さらに利便性がよいという効果を有する。
【００７１】
＜第５の実施の形態＞  
次に、本発明の第５の実施の形態の内視鏡装置１Ｆについて、図１０および図１１を用いて説明する。なお、内視鏡装置１Ｆの構成および動作等は第１の実施の形態の内視鏡装置の構成等と類似しているため、同じ構成要素には同じ符号を付し、説明は省略する。
【００７２】
ここまで説明した内視鏡装置１〜１Ｅについては、フロントパネル５０の制御状態表示部５０Ｂを例に説明したが、内視鏡装置１Ｆについては、モニタ３の制御状態表示部３Ｂについて説明する。図１０はモニタ３が制御状態表示部３Ｂの一形態として機能している場合の表示画面であり、図１１は、モニタ３が内視鏡画像表示部３Ａおよび制御状態表示部３Ｂとして機能している場合の表示画面である。
【００７３】
内視鏡装置１Ｆにおいては、内視鏡画像表示部３Ａと制御状態表示部３Ｂとが、ひとつの共通表示部であるモニタ３で構成されている。
【００７４】
最初に、図１０について説明する。図１０は、モニタ３の制御状態表示部３Ｂの一形態であるシステム設定画面１００を示している。システム設定画面１００において、例えばキーボード７により表示設定アイコン１０１が選択されると、図１０に示した表示制御方式設定ウインドウ１０２がシステム設定画面１００上に展開される。表示制御方式設定ウインドウ１０２は、制御状態表示部の表示形態を設定する表示ウインドウであり、表示モード制御部２１Ｂの表示制御方式として、オート表示モード、数字表示モード、図形表示（バー表示）モードが選択的に設定可能となっている。すなわち、第１の実施の形態の内視鏡装置１で説明した表示モード入力操作部５０Ｃと同様の機能である。
【００７５】
次に、図１１は、モニタ３が内視鏡画像表示部３Ａおよび制御状態表示部３Ｂとして機能している場合の表示画面であり、内視鏡画像が表示される内視鏡画像表示部３Ａであるエリア２００と、制御状態が表示される制御状態表示部３Ｂであるエリア２１０とを有している。なお、図１１は説明のためエリア２１０には全ての情報が表示されている状態を示している。
【００７６】
内視鏡装置１Ｆの表示モード制御部２１Ｅは、第１の実施の形態の内視鏡装置１等と同様に、制御状態表示部３Ｂに、図形で表示する図形表示モードと、数字で表示する数字表示モードと、表示しない無表示モードとの表示モード切り替え処理を予め定めた条件に従い自動的に行う。
【００７７】
例えば、図１２に示したように、内視鏡装置１Ｆでは、予め定めた条件に従い、内視鏡装置１と同様に、操作入力されている機能Ａの表示を数字表示モード、機能Ｂおよび機能Ｃを無表示モード、そして機能Ｄを図形表示モードとすることができる。
【００７８】
あるいは、図１３に示すように、内視鏡装置１Ｆでは、内視鏡装置１Ｂと同様に、操作入力されていない機能Ａ以外の表示を無表示モードとしたりすることができる。
【００７９】
なお、内視鏡装置１Ｆにおいて入力操作を行う入力部は、キーボード７の入力部７ｓまたは操作部８の入力部８ｓである。
【００８０】
内視鏡装置１Ｆは内視鏡装置１等と同様の効果を有する。
【００８１】
＜第６の実施の形態の変形例＞  
次に、本発明の第６の実施の形態の変形例の内視鏡装置１Ｇについて説明する。なお、内視鏡装置１Ｇの構成および動作等は第１の実施の形態の内視鏡装置の構成等と類似しているため、同じ構成要素には同じ符号を付し、説明は省略する。内視鏡装置１Ｇにおいては、内視鏡画像表示部９Ａと、制御状態表示部９Ｂと、入力部９Ｃｓとが、ひとつの共通表示部であるタッチパネル機能を有するモニタ９により構成されている。
【００８２】
図１４は、内視鏡装置１Ｇのモニタ９の表示画面の一例である。  
図１４に示すように、内視鏡装置１Ｇのモニタ９の表示画面は、内視鏡画像が表示されるエリア２００と、制御状態が表示されるエリア２１０に加えて、入力部９Ｃｓを有するタッチパネル領域２００を有している。タッチパネル領域２２０はモニタ９の表示部上に公知のＩＴＯ電極等がパターニング形成された領域で、術者は画面に表示された入力部９Ｃｓを押圧操作することで、機械的なスイッチ操作と同等の入力操作を行うことができる。
【００８３】
図１４においては、機能Ａが数字表示モードであり、機能Ｂおよび機能Ｃが無表示モードであり、機能Ｄが図形表示モードの状態を示している。図１４に示すように、内視鏡装置１Ｇにおいては、モニタ９を制御状態表示部として用いるため、それぞれの表示エリアの全体を用いて、数字表示または図形表示することができる。あるいは、制御状態の設定が完了した後は、モニタ９の表示画面全体を内視鏡画像表示エリア２００として用いてもよい。
【００８４】
内視鏡装置１Ｇは、内視鏡装置１等と同様の効果を有することに加えて、限られた表示エリア内で表示する図形等を拡大して表示できるために、特に制御状態表示部の視認性が良い。また、内視鏡装置１Ｇにおいては、術者はモニタ９のみを用いるだけで、例えば、内視鏡画像を所望の制御状態へと入力操作を行うことができるため、内視鏡装置１Ｇは、第４の実施の形態の内視鏡装置１Ｆ等が有する効果に加えて、さらに利便性がよいという効果を有する。
【００８５】
なお、上記説明した内視鏡装置１、１Ｂ、１Ｃ、１Ｄ、１Ｅ、１Ｆおよび１Ｇは、それぞれ適宜、組み合わせて使用することができる。例えば、制御状態表示部として、モニタ９を用いた制御状態表示部３Ｂと、フロントパネル５０の制御状態表示部５０Ｂ等とを適宜、併用してもよい。
【００８６】
また、上記説明では、表示モード制御部２１Ｂが、入力部により入力される数値情報または入力操作の条件に応じて、自動的に表示モード切り替え処理を行う例を中心に示したが、内視鏡装置１の使用時間の表示部のような制御状態表示部にも適用可能である。すなわち、内視鏡装置１の制御状態表示部の表示であれば、入力部により入力され制御状態が制御される数値情報等でなくとも、本発明の表示モード制御部２１Ｂは自動的に表示モード切り替え処理を行うことができる。
【００８７】
例えば、定期メンテナンス後の使用時間の表示であれば、次回の定期メンテナンスまでの時間を元に、未だ時間が十分にある場合には図形表示モードで表示を行い、残り時間が少なくなると数字表示モードで表示を行う等の表示モード切り替え処理を自動的に行うことで、ユーザの利便性が向上する。
【００８８】
本発明は、上述した実施の形態および変形例に限定されるものではなく、本発明の要旨を変えない範囲において、種々の変更、改変等が可能である。
【図面の簡単な説明】
【００８９】
【図１】本発明の第１の実施の形態にかかる内視鏡装置の外観を示す外観図である。
【図２】本発明の第１の実施の形態にかかる内視鏡装置の信号処理装置の構成等を説明するためのブロック図である。
【図３】本発明の第１の実施の形態にかかる内視鏡装置のフロントパネルの構成および表示状態を説明するための正面図である。
【図４】本発明の第１の実施の形態にかかる内視鏡装置の制御部の制御状態を術者が変更する場合の表示モード制御部の処理の流れを説明するためのフローチャートである。
【図５】本発明の第１の実施の形態にかかる内視鏡装置のフロントパネルの正面図である。
【図６】本発明の第１の実施の形態にかかる内視鏡装置の制御部の制御状態を術者が変更する場合の表示モード制御部の処理の流れを説明するためのフローチャートである。
【図７】本発明の第２の実施の形態にかかる内視鏡装置の制御部の制御状態を術者が変更する場合の表示モード制御部の処理の流れを説明するためのフローチャートである。
【図８】本発明の第２の実施の形態にかかる内視鏡装置のフロントパネルの表示状態を説明するための正面図である。
【図９】本発明の第３の実施の形態にかかる内視鏡装置の制御部の制御状態を術者が変更する場合の表示モード制御部の処理の流れを説明するためのフローチャートである。
【図１０】本発明の第５の実施の形態にかかる内視鏡装置のモニタが制御状態表示部として機能している場合の表示画面である。
【図１１】本発明の第５の実施の形態にかかる内視鏡装置のモニタが内視鏡画像表示部および制御状態表示部として機能している場合の表示画面である。
【図１２】本発明の第５の実施の形態にかかる内視鏡装置のモニタが内視鏡画像表示部および制御状態表示部として機能している場合の表示画面である。
【図１３】本発明の第５の実施の形態にかかる内視鏡装置のモニタが内視鏡画像表示部および制御状態表示部として機能している場合の表示画面である。
【図１４】本発明の第５の実施の形態の変形例にかかる内視鏡装置のモニタの表示画面の一例である。
【符号の説明】
【００９０】
１、１Ｂ、１Ｃ、１Ｄ、１Ｅ、１Ｆ、１Ｇ…内視鏡装置、２…内視鏡、３…モニタ、３Ａ…内視鏡画像表示部、３Ｂ…制御状態表示部、３Ｃｓ…入力部、４…信号処理装置、５…給排ポンプ、６…ラック、７…キーボード、７Ｂｓ…入力部、８…操作部、９…モニタ、１０…光源装置、１３…アナログ映像処理部、１４…Ａ／Ｄコンバータ、１５…合成部、１６…Ｄ／Ａコンバータ、１７…デジタル映像処理部、２１…プロセッサ、２１Ａ…制御部、２１Ｂ…表示モード切替部、３２…コネクタ部、４１…電源スイッチ、５０…フロントパネル、５０Ｂ…制御状態表示部、５０Ｃ…表示モード入力操作部、５０Ｄｓ…入力部、１００…システム設定画面、１０２…表示設定表示ウインドウ、２２０…タッチパネル領域
【図１】
2009226171.tif 000003
【図２】
2009226171.tif 000004
【図３】
2009226171.tif 000005
【図４】
2009226171.tif 000006
【図５】
2009226171.tif 000007
【図６】
2009226171.tif 000008
【図７】
2009226171.tif 000009
【図８】
2009226171.tif 000010
【図９】
2009226171.tif 000011
【図１０】
2009226171.tif 000012
【図１１】
2009226171.tif 000013
【図１２】
2009226171.tif 000014
【図１３】
2009226171.tif 000015
【図１４】
2009226171.tif 000016